(57)【特許請求の範囲】
【請求項１】
耳の背面に装着される本体ケースと、
この本体ケースにその一端側が連結され、他端側にはイヤチップが連結される紐状の音導体とを備え、
前記音導体の他端側には前記イヤチップを外耳道に保持するための係合具を具備し、
前記係合具は、小円弧と大円弧とを短辺と長辺とで結ぶ環状形状をしており、前記大円弧が対耳珠に当接し、前記長辺が耳珠に当接することで、前記イヤチップを保持する構成とした補聴器。
【請求項２】
前記係合具の小円弧側に、前記音導体の他端に保持するための結合部を有する請求項１に記載の補聴器。
【請求項３】
前記結合部は前記小円弧の前記短辺寄りに配置した、請求項２に記載の補聴器。
【請求項４】
前記音導体は音道パイプにより形成した請求項１に記載の補聴器。
【請求項５】
前記音導体は音道ワイヤーにより形成した請求項１に記載の補聴器。
【発明の詳細な説明】
【技術分野】
【０００１】
本発明は、耳掛けタイプの補聴器に関する。
【背景技術】
【０００２】
従来のこの種補聴器の構成は以下のようになっていた。
すなわち、耳の背面に装着される本体ケースと、この本体ケースにその一端側が連結され、他端側にはイヤチップが連結されるひも状の音導体とを備えた構成となっており、前記音導体の他端側には、耳の耳珠に係合させるリング状の係合具を取り付けていた（例えば、下記特許文献１）。
【０００３】
つまり、本体ケースを耳の背面側に装着し、イヤチップを外耳道に挿入後、前記係合具を耳の耳珠に係合させることにより、イヤチップが外耳道から外れないようにしたものである。
【先行技術文献】
【特許文献】
【０００４】
【特許文献１】米国特許出願公開第２００６／０２１５８６４号明細書
【発明の概要】
【発明が解決しようとする課題】
【０００５】
従来例における課題は、係合具の装着性が悪ことであった。すなわち、本体ケースは耳の背面に単に置かれ最短距離となる耳珠の近傍をひも状の音導体が配置され、その音導体に係合具が結合されているが、この係合具を耳の耳珠の奥側に係合させるためには、この係合具の耳珠に当接する部分を変形させ、耳珠を避けながら耳珠奥に押し込む必要があり、これが前述の装着性の悪さを引き起こすことになっていた。
【０００６】
そこで、本発明は、装着性を向上することを目的とするものである。
【課題を解決するための手段】
【０００７】
そしてこの目的を達成するために、本発明は耳の背面に装着される本体ケースと、この本体ケースにその一端側が連結され、他端側にはイヤチップが連結される紐状の音導体とを備え、前記音導体の他端側には前記イヤーピースを外耳道に保持するための係合具を具備し、前記係合具は、小円弧と大円弧とを短辺と長辺とで結ぶ環状形状をしており、前記大円弧が対耳珠に当接し、前記長辺が耳珠に当接することで、前記イヤチップを保持する構成とし、これにより所期の目的を達成するものである。
【発明の効果】
【０００８】
以上のように本発明は、耳の背面に装着される本体ケースと、この本体ケースにその一端側が連結され、他端側にはイヤチップが連結される紐状の音導体とを備え、前記音導体の他端側には前記イヤーピースを外耳道に保持するための係合具を具備し、前記係合具は、小円弧と大円弧とを短辺と長辺とで結ぶ環状形状をしており、前記大円弧が対耳珠に当接し、前記長辺が耳珠に当接することで、前記イヤチップを保持する構成としたものであるので、耳への装着性の向上を図ることができるものである。
【０００９】
すなわち、本発明によれば、係合具の長辺が耳珠の裏側に引っかかることになるのであるが、ここが直線状となっていることで、装着時に耳珠表面側に当たることなく、スムーズに入れることができる。
【００１０】
また大円弧を対耳珠に挿入した際には、小円弧側への応力が発生するため係合具が変形するが、このとき、長辺の長さが短辺より長いため、より変形しやすくなる。
このため、長辺が外側に変形し、耳珠の裏側に当接し、イヤチップを固定することができるようになる。
【図面の簡単な説明】
【００１１】
【図１】本発明の一実施形態にかかる補聴器を耳に装着した側面図
【図２】本発明の一実施形態にかかる補聴器を耳に装着した正面図
【図３】結合部の側面図
【図４】結合部を装着した補聴器の側面図
【発明を実施するための形態】
【００１２】
以下に、本発明の一実施形態を図面とともに詳細に説明する。
【００１３】
（実施の形態１）
図１、図２は、本発明の一実施形態にかかる補聴器を耳に装着した状態を示し、耳１の
背面側には本体ケース２が装着されている。
【００１４】
この本体ケース２の上部には、ひも状の音導体３の一端を連結する結合部４が設けられており、この結合部４にひも状の音導体３の一端が連結されている。
また、音導体３の他端側にはイヤチップアダプタ５が取り付けられており、イヤチップアダプタ５にはイヤチップ６が連結されている。
【００１５】
このイヤチップ６は本実施形態においては全て図２のごとく外耳道７内に挿入される構造になっている。
【００１６】
前記ひも状の音導体３は、図１で理解されるように、前記本体ケース２の上部の結合部４に連結される一端側から略円弧を描きながら外耳道７の外側までつながり、そこからは、図２で理解されるように、外耳道７に向かって緩やかにカーブする形状となっている。
【００１７】
イヤチップアダプタ５には環状形状の係合具８が取り付けられ、この係合具８が耳珠９および対耳珠１０に当接することで、イヤチップ６が安定して固定されることとなる。
次に、図３を用いて係合具８を詳細に説明する。係合具８は、変形自在の軟質材質でできており、例えばシリコンゴムなどが使用される。
【００１８】
この係合具８は、小円の一部の円弧８ａと大円の一部の円弧８ｂがあり、円弧８ａと円弧８ｂは、長辺８ｃと短辺８ｄとで接続された環状形状をしている。また、円弧８ａの短辺８ｄ寄りに、この環形状内部に伸びる結合部１１を備えている。
図４は、補聴器に係合具８を取り付けた状態の図である。
【００１９】
係合具８は、結合部１１を孔１２に差し込むことによりイヤチップアダプタ５に連結される。係合具８が連結された状態では、外耳道７の一番奥にイヤチップ６があり、イヤチップアダプタ５を経由して、係合具８が外耳道７の入り口辺りに配置される（図２参照）。
【００２０】
この補聴器を耳１に装着する場合には、まず、本体ケース２を耳１の後ろ側に配置し、その後イヤチップ６を外耳道７に挿入する。そして、係合具８を装着する時には、まず、長辺８ｃ側を耳珠９の裏側に入れ、その後、円弧８ｂ側を対耳珠１０に挿入する。このとき、従来のように長辺８ｃ側が円弧形状をしていると、耳珠９に引っかかり大変入れにくいのに対し、本実施形態の長辺８ｃのように、その部分を直線形状とすることで、耳珠９に引っかかることなくスムーズに入れることができるようになる。
【００２１】
また円弧８ｂを対耳珠１０に挿入した際には、円弧８ａ側への応力が発生するため係合具８が変形する。このとき、短辺８ｄと長辺８ｃは外に膨らむように変形するが、長辺８ｃの長さが短辺８ｄより長いため、より変形しやすくなるのである。これにより、外側に変形した長辺８ｃが耳珠９の裏側に当接し、イヤチップ６を固定することができるのである。また、結合部１１を円弧８ａの短辺８ｄ寄りに構成することで、より長辺８ｃが膨らみやすくなる効果がある。
【００２２】
なお、前記音導体３は音道パイプにより形成しているが、音道ワイヤーによって形成し手も良い。
【産業上の利用可能性】
【００２３】
以上のように本発明は、耳の背面に装着される本体ケースと、この本体ケースにその一端側が連結され、他端側にはイヤチップが連結される紐状の音導体とを備え、前記音導体の他端側には前記イヤーピースを外耳道に保持するための係合具を具備し、前記係合具は、小円弧と大円弧とを短辺と長辺とで結ぶ環状形状をしており、前記大円弧が対耳珠に当接し、前記長辺が耳珠に当接することで、前記イヤチップを保持する構成としたものであるので、耳への装着性の向上を図ることができるものである。
【００２４】
すなわち、本発明によれば、係合具の長辺が耳珠の裏側に引っかかることになるのであるが、ここが直線状となっていることで、装着時に耳珠表面側に当たることなく、スムーズに入れることができる。
【００２５】
また大円弧を対耳珠に挿入した際には、小円弧側への応力が発生するため係合具が変形するが、このとき、長辺の長さが短辺より長いため、より変形しやすくなる。
【００２６】
このため、長辺が外側に変形し、耳珠の裏側に当接し、イヤチップを固定することができるようになる。
従って、補聴器としての活用が期待されるものである。
【符号の説明】
【００２７】
１  耳
２  本体ケース
３  音導体
４  結合部
５  イヤチップアダプタ
６  イヤチップ
７  外耳道
８  係合具
９  耳珠
１０  対耳珠
８ａ、８ｂ  円弧
８ｃ  長辺
８ｄ  短辺
１１  結合部
１２  孔
【図１】
0005522022.tif 000002
【図２】
0005522022.tif 000003
【図３】
0005522022.tif 000004
【図４】
0005522022.tif 000005